(57)【要約】【課題】  従来の１枚の紙からなる身と蓋が繋がった組み立て式ワンピース箱では、蓋が身箱の全ての側壁を覆い被さるような閉まり方をするものは出来なかった。それはワンピース箱の宿命と考えられていた。【解決手段】  身箱底面の全ての周辺に側壁を有する身箱と、蓋箱天面の全ての周辺に側壁を有する蓋箱をそれぞれの一辺の側壁先端部を、身箱の側壁高さを越えない長さを有したヒンジ部で繋ぎ、その繋ぎ部からヒンジ部の一部ないしは全面を該身箱側壁の外側面と接着することで身箱の全ての側壁を蓋が覆うように出来るようになる。【選択図】  図４
2005029210.tif 000002
【特許請求の範囲】
【請求項１】
身箱底面及び蓋箱天面のそれぞれの周辺全てを囲む側壁を持つ身箱と蓋箱が身箱及び蓋箱それぞれ一辺の側壁先端が身箱の側壁高さを越えない長さを有したヒンジ部で結合し、１枚の紙からなる事を特徴とした組み立て式ワンピース箱。
【請求項２】
身箱のヒンジ部と繋がっている側壁の外側面と、該ヒンジ部の一部ないし全部が接着している事を特徴とする請求項１記載の組み立て式ワンピース箱。
【発明の詳細な説明】
【技術分野】
【０００１】
本発明は、１枚の紙からなる身、蓋が一体となった組み立て式ワンピース箱の新規なヒンジ構造技術に関する。
【背景技術】
【０００２】
和菓子の箱や、靴箱等に用いられてきた、身箱と蓋箱が全く独立しており、身箱の上に身箱の全側壁を覆うように蓋をする通常の紙箱がある。これに対して身箱と蓋箱のどこか一辺が繋がった構造のワンピース箱と称されるものがある。特に、身、蓋が１枚の紙で出来たワンピース箱は身と蓋がバラバラにならず生産過程でも、使用段階でも管理しやすく、使いやすく、最近では、本来１枚の紙からではワンピース箱にするには不向きとされている貼り箱形式（例えば、特許文献１、非特許文献１参照）や印籠形式（例えば、特許文献２参照）でも、ワンピース箱化が試みられており、サンドウイッチ箱などの安価なテイクアウト用組み立て箱形式（例えば特許文献３参照）ではワンピース箱が広く使われている。
【０００３】
貼り箱形式のワンピース箱では箱中央部両サイド側壁を切り欠き、中央部で折り曲げて身、蓋にするため、蓋を開けた状態では、身箱の背側側壁がなく、基本的な箱としての機能に欠ける構造をしている。又、印籠形式のワンピース箱は身箱と蓋箱が確かにワンピースではあるが、身箱の内側には別部材の中箱を必要とする。組み立て箱形式では蓋は先端に身箱への差し込みベロを有した１枚の紙か、せいぜい蓋の両サイドに側壁を付けるレベルで、蓋機能としては低い仕様であった。
【特許文献１】特開２０００−１４２６６９（頁７、第７図）
【特許文献２】特開平１１−３０１６５７（頁４、第１図）
【特許文献３】実用新案登録３０７４２９２（頁２、第１図）
【非特許文献１】「ストークス・ニュース」、株式会社久保製作所１９９５年１０月号１号、ワンピースボックス
【発明の開示】
【発明が解決しようとする課題】
【０００４】
特許文献１、非特許文献１に示すような貼り箱方式による身蓋ワンピース箱では、蓋を明けた時、身箱は完全には、側壁で囲まれておらず、小さな内容物に対する容器としては不向きであると共に、菓子類の容器としても密閉性に欠け、不衛生である。又、蓋両サイドの側壁端（ヒンジ側）は固定されておらず、概観上も悪く、高級感を損なうものである。
【０００５】
特許文献２で示されるような印籠形式のワンピース箱では、身箱と蓋箱は１枚の紙で繋がったワンピース箱であるが、別部材の中箱を必要とし、本来のワンピース箱とは異なる。
【０００６】
又、特許文献３で示されるような組み立て箱では、身箱は各辺に側壁を持つが、蓋は天面１枚か、蓋の先端を身箱に差し込む等の簡単な蓋しかワンピース箱としては存在しなかった。又、蓋に何等かの方法で側壁を付けたとしても、蓋は身箱側壁の最上端に繋げるしかないので、蓋天面全周の側壁は得られず、蓋両サイド側壁端が固定されない状況は上記貼り箱形式のワンピース箱の問題と変わる事はない。
【０００７】
本発明は、このような従来の構成が有していた問題を解決しようとするものであり、１枚の紙からなるワンピース箱でありながら身箱に対して身箱の全ての側壁面を蓋の側壁が覆う事が可能な従来にない組み立て式ワンピース箱を提供する事にある。
【課題を解決するための手段】
【０００８】
本発明は上記目的を達成するために、１枚の紙からなり、身箱底面の全ての周辺に側壁を有する身箱と、蓋箱天面の全ての周辺に側壁を有する蓋箱をそれぞれの一辺の側壁先端部を身箱の側壁高さを越えない長さを有したヒンジ部で繋ぎ（図１、図２参照）、蓋をしたとき、その蓋が身箱の全側壁を覆う構造にしたものである（図３、図４、図５、図６参照）。
【０００９】
また、第２の課題解決手段は、ヒンジ部の一部ないし全部をヒンジ部が繋がっている身箱の側壁の外側面にヒンジ部の一部ないし全部と接着することで、ヒンジ部を身箱側壁に固定した構造にしたものである（図４、図６、図８参照）。
【発明の効果】
【００１０】
上記第１の課題解決手段による作用は次の通りである。従来技術による１枚の紙からなるワンピース箱は、蓋又は蓋箱の一部が身箱の側壁先端に直接繋がっていたため、身箱の全ての側壁を覆う蓋又は蓋箱は作り得なかった。本発明によれば、身箱と蓋箱の間にヒンジ部を設けることで、身箱に対する蓋のヒンジ位置を身箱側壁先端部から外すことができ、その結果、身箱底面の全辺を囲む側壁を有する身箱に蓋箱天面の全辺を囲む側壁を有する蓋箱で蓋が出来るワンピース箱が可能になった。
【００１１】
また、第２の課題解決手段による作用は、ヒンジ部をヒンジ部が繋がっている身箱の側壁外側面に一部ないしは全面を接着することで、蓋のヒンジ位置を固定することができ、蓋閉めがやりやすくなるという効果を発揮する（図８参照）。このヒンジ部と身箱側壁との接着固定がないと、蓋閉め時、ヒンジ位置が固定されず蓋閉めがうまくいかない場合が起こる（図７参照）。
【００１２】
予想していなかった効果としては、商品を身箱に納め、蓋箱を三分の一から半閉め状態で止める事が簡単に出来、販売時のディスプレイ効果が簡単に出来る事が分かった。
【発明を実施するための最良の形態】
【００１３】
以下、本発明の実施の形態を図１〜図５に基づいて説明する。  図においては、１は身箱の底面であり、４、５、６，７は身箱の側壁である。同じく、３は蓋箱の天面であり、８、９、１０、１１は蓋箱の側壁である。２はヒンジ部であり、身箱側壁５と蓋箱側壁１１と繋がっている。ヒンジ部の身箱と蓋箱を繋ぐ長さは身箱側壁５の高さを越えないようにする。
【００１４】
身箱側壁５及び蓋箱側壁１１以外の側壁は折り返して側壁にするため２重になっている。身箱底面、蓋箱天面から直接繋がっている側壁にはコーナー折り部が繋がっており、４ｂの両端は１９ａと１８ａが、６ｂの両端には２０ａと２１ａが、８ｂの両端には２２ａと２３aが、１０ｂの両端には２４ａと２５ａが接着され、接着したコーナー部を身箱では４ａ、６ａが、蓋箱では８ａ、１０ａが箱内側に折り込まれる事で覆うようになっている。７ａと９ａはそれぞれの身箱と蓋箱内側に折り込まれ、７ａと９ａの先端折り部１３と１６が４ａ、６ａ、８ａ、１０ａの先端折り部１２、１４、１５、１７を上から押さえ込むようになっている。
【００１５】
ヒンジ部２と身箱の側壁５とは、その繋ぎ部から側壁下側にかけて一部ないしは全面を接着してヒンジ部の動きをセーブしている。
【００１６】
蓋箱寸法は側壁９及び１１の長さが身箱側壁５及び７のそれより少なくとも紙厚み分は長くする。又、蓋箱側壁８及び１０の長さは、蓋が図４の状態から閉まる事を想定すると、身箱側壁４及び６の対角線長さより紙厚み分、長くしておく必要がある。
【００１７】
本発明に使用される紙は限定されるものではないが、通常市販されている上質紙または上質コート紙と呼ばれる種類が望ましい。又、本発明は身箱及び蓋箱の一切の作り方には限定しておらず、実施例以外の組み立て箱方式で本発明を採用可能である事は明らかである。
【図面の簡単な説明】
【００１８】
【図１】展開図
【図２】組み立て途中斜視図
【図３】ヒンジ部の非接着状態組み立て斜視図
【図４】ヒンジ部接着状態組み立て斜視図
【図５】半閉め状態斜視図
【図６】蓋閉め時の動作図（図４のＡＡ面による蓋の動きを示す）
【図７】蓋閉め時の動作図（図３のＢＢ面による蓋の動きを示す）
【図８】ヒンジ部一部接着半閉め組み立て斜視図
【符号の説明】
【００１９】
１  身箱底面
２  ヒンジ部
３  蓋箱天面
４〜７    身箱側壁
８〜１１  蓋箱側壁
【図１】
2005029210.tif 000003
【図２】
2005029210.tif 000004
【図３】
2005029210.tif 000005
【図４】
2005029210.tif 000006
【図５】
2005029210.tif 000007
【図６】
2005029210.tif 000008
【図７】
2005029210.tif 000009
【図８】
2005029210.tif 000010